(57)【特許請求の範囲】
【請求項１】
水若しくは水溶液（Ａ液と略す）に水素を溶解して水素水を調整する方法において、Ａ液を開口部を有する容器内にいれ、前記開口部に底壁と側壁からなる隔壁で囲まれた内部空間を有する内蓋を挿入し、前記容器又は前記内蓋に外力を加えることで、前記内蓋内で水素発生剤とＡ液、又はＡ液以外の水若しくは水溶液を接触させて水素を発生させ、この水素のみを前記内蓋内と前記容器内を連通する連通孔を通してＡ液へ溶解させる水素水の調整方法。
【請求項２】
外蓋で前記容器を密閉した後に、該容器に外力を加えて水素発生剤とＡ液、又はＡ液以外の水若しくは水溶液を接触させる請求項１に記載の水素水の調整方法。
【請求項３】
前記水素発生剤が水素化アルカリ土類金属若しくは水素化アルカリ土類金属を含む組成物である請求項１又は２に記載の水素水の調整方法。
【請求項４】
開口部を有する容器と、前記開口部に挿入する内蓋と、前記容器を密閉する外蓋とを含む器具に、水素発生剤をセットにした水素水の生水器であって、
前記内蓋は、側壁と底壁からなる隔壁（Ａ）で囲まれた内部空間を有し、該隔壁（Ａ）に前記容器内の空間と連通する連通孔を設けられ、該連通孔にチューブ状の細管が挿入された水素水の生水器。
【請求項５】
前記チューブ状の細管の一端は前記内蓋の内部空間の上部まで伸長し、他端は前記容器の底部付近まで伸長している請求項４に記載の水素水の生水器。
【請求項６】
前記容器の開口部にアダプターが装着されており、該アダプター内に前記内蓋が挿入され、前記アダプターの開口部を前記外蓋で密閉する構造を有する請求項４又は５に記載の水素水の生水器。
【請求項７】
開口部を有する容器と、前記開口部に挿入する内蓋と、前記容器を密閉する外蓋とを含む器具に、水素発生剤をセットにした水素水の生水器であって、
前記内蓋は、側壁と底壁からなる隔壁（Ａ）で囲まれた内部空間を有し、前記内蓋の内部空間が、隔壁（Ｂ）により上部空間（７１）と下部空間（７２）に分割され、前記隔壁には、前記内蓋を傾斜若しくは振動させると可動して上部空間（７１）と下部空間（７２）を連通させる可動体が存在し、上部空間（７１）の側壁に連通孔が存在する水素水の生水器。
【請求項８】
前記内蓋が、上部空間（７１）を形成する上部内蓋と、下部空間（７２）を形成する下部内蓋とに分離可能な構造を有する請求項７に記載の水素水の生水器。
【請求項９】
開口部を有する容器と、前記開口部に挿入する内蓋と、前記容器を密閉する外蓋とを含む器具に、水素発生剤をセットにした水素水の生水器であって、
前記内蓋は、側壁と底壁からなる隔壁（Ａ）で囲まれた内部空間を有し、該隔壁（Ａ）に前記容器内の空間と連通する連通孔が存在し、前記外蓋の上面の一部に貫通孔が存在し、該貫通孔に弾性体が装着されている水素水の生水器。
【請求項１０】
水素発生剤が、水素化アルカリ土類金属若しくは水素化アルカリ土類金属を含む組成物である請求項４から９のいずれか１項に記載の水素水の生水器。
【発明の詳細な説明】
【技術分野】
【０００１】
本発明はＰＥＴボトルなどの容器中の水、各種飲料水やお酒などの水若しくは水溶液に水素を溶解させる水素水の調整方法及びその装置に関する。
【背景技術】
【０００２】
最近、水素ガスを溶解した水が人の健康に資するということで市場に登場し始めた。水素を溶解した水は水素水と呼ばれているが、その製造方法は大きく２種類に分類される。一つは、工場などで飲料水に水素を加圧溶解してそれを容器に充填する方法である（特許文献１）。他の方法は水と反応して水素を発生するマグネシウム金属粉末などの水素発生剤を用いて、水の入った容器内に水素発生剤を投入して密閉し、発生する水素を水に溶解させて水素水を調整する方法である（特許文献２）。
【０００３】
水素は気体中で一番分子量が小さくそのために水素水を調整して容器に密閉しても、保存中に気散してしまう問題がある。従って、工場で水素水を調整して容器に詰めても保存や流通過程で水素が容器から気散してしまい、消費者の手元に渡った時点ではかなり水中の溶存水素濃度（ＤＨと略す）が低下したものとなってしまう欠点があった。  一方、水素発生剤を使用する方法は、水素水を飲む直前に水素水を調整することが出来るので上記のような課題は解決されるが、マグネシウム金属は水との反応が遅く水素水を調整するのに時間を要したり、未反応の金属残渣が水中に残存する欠点があった。
【０００４】
本発明者は最近、水との反応が早い水素化マグネシウム（ＭｇＨ２）や水素化カルシウム（ＣａＨ２）などの水素化合物を用いた新規な水素発生剤を開発してこれらの欠点を解決した（特許文献３）。しかしながら、これらの水素発生剤は水素化合物の種類や組成によっては水との反応が早いため、水を入れた容器に水素発生剤を投入して密栓をする間に、水素が発生して容器の開口部から空気中に気散してしまう欠点が見つかった。
【０００５】
この欠点を解決するために、本発明者らは内部空間を有する特殊な内蓋を用いて、その内部空間に水素発生剤を充填して水の入った容器の開口部に挿入し、外蓋で容器を密閉した後に容器を傾斜若しくは倒立させて容器内の水と水素発生剤を反応させることで、水素を気散させることなく容器内の水に溶解させる装置を考案した（実用新案文献１）。しかしながらこの方法では得られる水素水に水素発生剤が直接溶解するために、水素発生剤と水の反応生成物が水素水中に残存するため、反応生成物が飲用しても安全な水素発生剤を使用しなければならないという制限があった。
【先行技術文献】
【特許文献】
【０００６】
【特許文献１】特開２００５−１７７７２４号公報
【特許文献２】特開２００７−１６３３号公報
【特許文献３】ＷＯ２００７／０５５１４６号公報
【非特許文献】
【０００７】
【非特許文献１】実用新案登録第３１６４０４５号公報
【発明の概要】
【発明が解決しようとする課題】
【０００８】
水と反応して短時間で水素を発生する水素発生剤を用いて水素水を調整する際に、水素発生剤と水の反応生成物を水素水中に残存させない、飲用に適した高濃度のＤＨを有する水素水を簡便に調整する方法並びにその装置（生水器）を提供することである。
【課題を解決するための手段】
【０００９】
上記課題は水若しくは水溶液（Ａ液と略す）に水素を溶解して水素水を調整する方法において、Ａ液を開口部を有する容器内にいれ、前記開口部に底壁と側壁からなる隔壁（Ａ）で囲まれた内部空間を有する内蓋を挿入し、該内蓋内で水素発生剤と水を接触させて水素を発生させ、この水素のみを内蓋内と容器内を連通する連通孔を通してＡ液へ溶解させる水素水の調整方法で解決される。
【００１０】
この方法に於いて外蓋で容器を密閉した後に、該容器に外力を加えて水素発生剤と水を接触させる方法が水素を容器の外に気散させないので好ましい。また、これらの調整方法に於いて使用する水素発生剤としては水素化アルカリ土類金属若しくは水素化アルカリ土類金属を含む組成物を用いるのが剤の安全性や水素発生速度が速いので好ましい。
【００１１】
また上記課題は開口部を有する容器と、前記開口部に挿入する内蓋と、前記容器を密閉する外蓋からなる器具であって、前記内蓋は側壁と底壁からなる隔壁（Ａ）で囲まれた内部空間を有し、該隔壁に前記容器内の空間と連通する連通孔が存在する器具と水素発生剤のセットからなる生水器を用いることで解決される。
【００１２】
この生水器において連通孔にチューブ状の細管が挿入されており、該細管の一端は内蓋の内部空間の上部まで伸長し、他端は容器の底部付近まで伸長している生水器が好ましく、また内蓋が円筒状であり、連通孔が円筒底部にありチューブ状の細管がこの連通孔を通過して伸張している生水器が好ましい。
【００１３】
細管で内蓋の内部空間と容器内が連通する生水器において、容器の開口部にアダプターが装着されており、該アダプター内に内蓋が挿入されアダプターの開口部を外蓋で密閉する構造を有する生水器が好ましい。
【００１４】
細管を装着しない内蓋の場合、内蓋の内部空間が隔壁（Ｂ）により上部空間（７１）と下部空間（７２）に分割され、前記隔壁には内蓋を傾斜若しくは振動すると可動して上部空間（７１）と下部空間（７２）を連通させる可動体が存在し、上部空間（７１）の側壁に連通孔が存在する生水器が好ましく、更に内蓋が上部空間（７１）を形成する上部内蓋と下部空間（７２）を形成する下部内蓋に分離可能な構造を有する生水器がより好ましい。
【００１５】
さらに、細管を装着しない内蓋を使用する場合、外蓋の上面の一部に貫通孔が存在し、該貫通孔に弾性体が装着されている生水器も好ましい。これらの生水器において水素発生剤が水素化アルカリ土類金属若しくは水素化アルカリ土類金属を含む組成物を用いるのが好ましい。
【発明の効果】
【００１６】
本発明の方法並びに生水器を用いることにより、水素発生剤と水の反応生成物を水素水中に残存させることなく高いＤＨを含む水素水を調整することが出来た。そのために用いる水素発生剤の制限を緩和することが可能となり飲用に適した水素水を簡便に短時間で調整することが出来た。
【図面の簡単な説明】
【００１７】
【図１】図１は本発明の生水器に用いる器具の１例の断面図である。（実施例１，２）
【図２】図２は図１の器具に用いられる内蓋でａ）は断面図、ｂ）は上面図である。
【図３】図３は図１の容器にＡ液を入れて内蓋内に水素発生剤を充填した状態の断面図である。
【図４】図４は図３に於いて内蓋内で水素発生剤と水を接触させた状態の断面図である。
【図５】図５は本発明の生水器の他の態様を示す断面図である。（実施例４）
【図６】図６は本発明の生水器に用いる他の態様の内蓋でａ）断面図、ｂ）上面図である。（実施例３）
【図７】図７は図６の内蓋の組み立ての断面図である。
【図８】図８は図６の内蓋の下部空間に水素発生剤を充填し、上部空間に水の入った内蓋がＡ液の入った容器の開口部に挿入されて外蓋で密閉された状態を示す断面図である。
【図９】図９は本発明の生水器に用いる器具の他の態様を示す断面図である。（実施例５，６，７，９）
【図１０】図１０は図９の器具に使用される内蓋のａ）断面図、ｂ）上面図である。
【図１１】図１１は図９の容器にＡ液を入れ、内蓋内に水素発生剤を充填した状態の断面図である。
【図１２】図１２は図１１の容器開口部を外蓋で密閉し、容器の側壁を圧迫して容器内のＡ液を細管を通して内蓋内の水素発生剤と接触させた状態の断面図である。
【図１３】図１３は図１１の内蓋の内部空間上部に消泡材を配置させた状態の断面図である。（実施例８）
【図１４】図１４は本発明の生水器に用いる器具の他の態様を示す断面図で容器開口部にアダプターを装着したものである。
【発明を実施するための形態】
【００１８】
本発明の水素水の調整方法並びにその生水器を以下に図面を援用して説明する。図１は開口部を有する容器（１）の開口部に、内蓋本体（２）が挿入され容器の外蓋（３）で密閉された器具の断面図を示したものである。特徴的なのはこの内蓋の隔壁に内蓋の内部空間と容器内の空間を連通する連通孔（４）が設けられている事である。
【００１９】
図２は図１の内蓋の断面図と上面図である。内蓋本体（２）は側壁（５）と底壁（６）からなる隔壁で形成される内部空間（７）を有し、内蓋上部の隔壁には連通孔（４）が１個以上存在する。
【００２０】
図３は図１の容器内にＡ液（８）を入れ、更に内蓋の内部空間に水素発生剤（９）を充填し状態の断面図である。この状態で内蓋内に水（１０）をスポイド等を用いて少量注入して水素発生剤と接触させて直ちに外蓋（３）で容器を密閉した状態が図４である。
【００２１】
水と接触した水素発生剤からは水素が発生しその水素は連通孔（４）を通して容器の上部空間に移動して水と接触してＡ液へ溶解する。この水素水の調整方法(前接触法と略す)は水素発生剤が水と接触して水素を発生する速度（以降、加水分解速度と言う）が比較的に緩やかな水素発生剤を用いて水素水を調整する場合に適している。内蓋内の水素発生剤と水の反応液が連通孔から容器内へ漏洩するのを防ぐために連通孔（４）は内蓋の上部にあるのが好ましい。
【００２２】
一方、加水分解速度の速い水素発生剤の場合は上記の方法では外蓋で密閉する間に空気中へ水素が一部気散してしまう恐れがある。このような場合は外蓋で容器開口部を密閉した後に水を内蓋に注入する方法が好ましい（後接触法と略す）。例えば、外蓋で密閉した後に容器を少し傾斜させて容器側壁を手で圧迫することで容器内のＡ液を連通孔（４）を通して内蓋内に注入することが出来る。
【００２３】
注入されたＡ液は水素発生剤と接触して水素を直ちに発生するので、水素発生剤との反応液が連通孔から漏洩しないようにＡ液を注入後、容器を直ちに正立状態に戻すのが好ましい。発生した水素は連通孔（４）を通して容器内の上部空間に移動して容器内のＡ液に溶解し水素水が生成される。
【００２４】
外蓋で密閉後に水素発生剤と水の接触を確実に行う方法としては図５に示した器具や方法を用いることが出来る。外蓋に小孔を開けてその孔にゴム等の弾性体（１１）を装填した外蓋を予め用意し、水素発生剤を充填した内蓋を容器開口部に挿入し前記の外蓋で密閉する。次いで注射器（１２）と針（１３）を使用して内蓋内に水を注入して水素発生剤と接触させる方法である。
【００２５】
後接触法の器具としては内蓋の構造を工夫することで種々考えられる。図６は内蓋本体（２）が上部空間（７１）を有する上部内蓋と下部空間（７２）を有する下部内蓋で形成された内蓋を示す。上下の内蓋の間には隔壁Ｂ（１４）が存在しこの隔壁には内蓋を傾斜若しくは振動すると可動して上部空間（７１）と下部空間（７２）を連通させる可動体（１５）が存在する。また、上部空間（７１）の側壁に連通孔が存在する。
【００２６】
図６では隔壁（１４）の中央部に設けられた円形の孔に着座した球状体（１５）を示したが、円形の孔の直径よりも大きな直径を有する円盤状の板などでも良い。即ち、内蓋に外力（傾斜若しくは振動させるなど）を加えることにより可動体が移動して、隔壁（１４）に水や粉体が通過できる間隙が生じる機能を有するものであれば良い。
【００２７】
図７は図６の内蓋の好ましい組み立て図で、上部内蓋（２１）は隔壁（１４）を底壁とし側壁（５１）とで形成される上部空間（７１）を有し、下部内蓋（２２）は底壁（６）と側壁（５２）で形成される下部空間（７２）を有し、上下の内蓋が分離可能な構造を示している。内蓋の内部空間が分離出来ることで下部内蓋に水素発生剤を充填して、上部内蓋の側壁（５１）に嵌めこむことで水素発生剤を充填した内蓋が容易に得られる。
【００２８】
図８はこの内蓋をＡ液の入った容器の開口部に挿入してスポイドなどで水を内蓋の上部空間に添加して、直ちに外蓋で容器を密閉した状態を示している。この状態で容器を傾斜させたり振動させると隔壁を構成する可動体が移動して上部の水（１０）が下部内蓋へ注入されて水素発生剤と接触する。そして発生した水素は上部内蓋の連通孔を通じて容器内の空間に移動する。この内蓋では下部内蓋に水を入れ、上部内蓋に粉体状の水素発生剤を入れて同様に外力を容器に与えることで水素を発生させることが出来る。
【００２９】
図９は本発明の生水器の他の態様の器具である。この器具では図１０に示すように内蓋の底壁（６）に連通孔（４）があり、その連通孔を通してチューブ状の細管（１６）が内蓋内部空間の上部まで一端が伸長している。細管の他端は容器の底部付近まで伸長させる。連通孔の位置は側壁に近い位置が、水素発生剤の充填が容易になるので好ましい。このような内蓋は底壁に連通孔を空けその直径とほぼ同じ外径を有するプラスチック製の細管を通すことで容易に作成できる。
【００３０】
図１１は容器内にＡ液を入れてその開口部に図１０の内蓋を挿入し、水素発生剤（９）を充填した状態を示している。内蓋の底がＡ液中に沈んでいても細管が連通孔を完全に塞いでいるのでこの状態でＡ液が内蓋内に侵入することはない。水素発生剤の加水分解速度が緩やかな剤の場合は、この状態でスポイド等で水を内蓋内へ注入して直ちに外蓋で開口部を密閉することが出来る（前接触方式）。
【００３１】
一方、加水分解速度が速い剤の場合は図１２に示すように外蓋で容器開口部を密閉した後に容器の側壁に外力を加える、例えば手で圧迫することでＡ液は細管を上昇して内蓋内に注入される（後接触方式）。水若しくはＡ液と接触した水素発生剤から水素が発生し細管を通して容器内へ流出してＡ液内を気泡となって上昇し容器の上部空間に集合する。気泡がＡ液内を上昇中にも水素はＡ液に溶解するので細管の他端は容器の底部付近にあるのが好ましい。
【００３２】
内蓋内での細管の端は出来るだけ外蓋に近い上部が好ましい。これは剤と水の反応液が細管を通して容器へ漏洩するのを防ぐためである。剤の組成によっては反応液が発泡して内蓋内を上昇する場合がある。その場合は図１３に示すように内蓋の上部に消泡材（１８）を配置することで反応液の容器への漏洩を効果的に防ぐ事が出来る。消泡材は柔らかい不織布など水やガスが容易に通過出来る柔軟性のあるものが好ましい。
【００３３】
容器内の上部空間に集合した水素は発生した水素の容積と初期の容器空間の容積から計算される全圧に比例した圧力を容器内に与えるので容器内は加圧状態となる。従って外蓋を開ける際に一気に開けると容器内のＡ液が外部に噴き出す恐れがある。そのために外蓋の開放は少しづつ行うのが好ましい。容器内のＡ液の量を少なくして噴出を防ぐことが出来るが、図１４に示すように容器開口部にアダプター（１９）を別途装着してアダプター内に内蓋を挿入することでＡ液の水面と開口部の距離を大きくして噴出を防ぐのが効果的である。
【００３４】
水素の水中への溶解は気液接触界面の面積が大きいほど早く、また界面での濃度分極などを考えると容器中の水を撹拌するのが短時間でＤＨの高い水素水を調整するのに好ましい。そのためには外蓋で密閉して容器内を水素で加圧状態にした後に容器を手で振動して容器内のＡ液を攪拌するのが好ましい。この撹拌効果を高めるために、予め容器内にプラスチックなどの板片を入れたり、内蓋や容器の底部に邪魔板などを設けた構造を有する器具を用いるなどの工夫は好ましい。
【００３５】
本発明で用いる密閉容器は数気圧の圧力に耐える容器であれば金属製、プラスチック製のいずれでも使用可能である。プラスチック製では炭酸飲料水などに使用される肉厚のＰＥＴボトルが安全性の面から好ましい。また、容器本体（１）の大きさには制限は無いが、動力を使用せずに移動可能で簡便に水素水が調整できる本発明の生水器開発の目的からは１００ｍｌ〜２Ｌの容積を有する容器が好ましい。容器の構造としては後接触方式で水素を発生させる場合は側壁が若干変形する軟構造を有したもの好ましい。
【００３６】
本発明に用いられる水素発生剤は水と反応して短時間で水素を発生するものが用いられる。このような化合物としては水素化リチウム、水素化ナトリウムなどの水素化アルカリ金属、水素化マグネシウム（ＭｇＨ２）、水素化カルシウム（ＣａＨ２）などの水素化アルカリ土類金属、水素化ホウ素ナトリウムや水素化ホウ素カリウムなどの水素化ホウ素金属塩と酸の組み合わせなどが例示される。また、従来のマグネシウム金属でも粉末状の金属を酸性の水と反応させると反応速度が速くなるので本発明の方法で水素水を調整することが出来る。
【００３７】
本発明では内蓋内で発生する水素のみをＡ液に溶解するために、水素発生剤と水の反応生成物が有毒なものとして残存するような水素発生剤でも使用可能である。しかしながら、同一容器内にある内蓋内で反応させるために、内蓋の隔壁にある連通孔から反応液がＡ液中に混入する恐れが否定できないので安全な水素発生剤を用いることが好ましい。この観点から水素発生剤としては水素化アルカリ土類金属若しくはこれらを含む組成物からなる水素発生剤を用いるのが好ましい。
【００３８】
ＣａＨ２は水との反応が著しく早いので反応速度を遅くするためにトレハロースやポリエチレングリコール（ＰＥＧ）などの水溶性化合物中に溶融包埋して反応速度を遅くした水素発生剤として用いるのが好ましい。また、反応液はアルカリ性となるため中和する目的でクエン酸、コハク酸、シュウ酸、アジピン酸などの有機酸と混合して用いるのが好ましい。
【００３９】
ＣａＨ２は水溶性化合物で溶融包埋して水素発生剤としても粉末状のものは加水分解速度が可なり早い。例えば１ｇの粉末状の剤は水と接触すると直ちに水素が発生し約２分で終了する。このような剤は後接触方式で水素を発生させるのに用いるのが好ましい。一方、粉末状の剤を固めて錠剤状に成型して用いると錠剤が水に溶解するまでの時間が必要となり、結果的に加水分解速度を穏やかにすることが出来る。例えば上述と同じ剤で成形した１ｇの錠剤は反応終了までに１０分前後かかる。このように錠剤に成形した剤では前接触方式に用いることが出来る。
【００４０】
ＭｇＨ２の加水分解反応は高温の水や酸の共存で早く進行する。従って酸の共存下で使用するのが本願発明では好ましい。酸としては前述の有機カルボン酸が固体状粉末として市販されているのでそれを利用することが出来る。本発明者らの検討の結果、加水分解速度は（カルボン酸／ＭｇＨ２）の中和当量比が大きいほど早い事が判明した。即ち、この当量比が１以下であれば加水分解速度が比較的に穏やかで前接触方式が可能であり、１以上では後接触方式が好ましい。
【００４１】
また、当量比が大きいとＭｇＨ２の水素発生率（実測発生量／理論発生量）が大きくなることが分かった。従ってＭｇＨ２を大量の有機酸と共にＰＥＧなどに溶融包埋することで水素発生率は高いが加水分解速度を抑えた剤を調整することが出来る。溶融包埋処理で得られる水素発生剤は反応速度を遅くする効果以外に剤の取扱い性が向上するので好ましい水素発生剤である。ＭｇＨ２の粉末とカルボン酸の粉末の混合物も本願発明の水素発生剤として使用可能である。
【００４２】
これらの水素発生剤は微量の水分とも反応して水素を発生するので、使用直前まではアルミラミネート袋などの透湿性の低い容器内に保管しておくのが好ましい。本発明の方法ではＡ液として水道水、天然水、炭酸水、お茶、ジュース等各種の飲料水を用いて水素水を調整することが出来る。
【００４３】
以下に実施例を用いて本発明をさらに説明する。本発明での水素水中のＤＨの測定はガスクロマトグラフィー法で行った。ＰＥＴボトル中の水素水のサンプリングは水素の気散を最小限にするために、外蓋を取り内蓋を取りだして直ちに図５に示したゴム栓付き外蓋で容器を密閉した。その後マイクロシュリンジでゴム栓を通してサンプリングを行った。
【実施例１】
【００４４】
ＭｇＨ２の粉末５０ｍｇとコハク酸の粉末２４３ｍｇをビーカー内で均一に混合して水素発生剤とした。この水素発生剤の（コハク酸／ＭｇＨ２）の中和当量比は１．０であり、水を添加して別途測定した水素発生量は６７ｍｌ（２５℃）で発生終了までに８分を要した。この発生量から計算した水素発生率は６５．４％である。
【００４５】
市販の２８０ｍｌ容量の肉厚ＰＥＴボトルの開口部に挿入できる図２の内蓋をポリエチレン樹脂を加工して作成した。円筒状内蓋の側壁の外径は１８ｍｍ、内部空間（７）の内径は１６ｍｍ、フランジ部も含めた高さは６０ｍｍとした。また、連通孔（４）として直径２ｍｍの孔を内蓋の上部から３ｍｍの位置に４ケ作成した。ＰＥＴボトルを密閉するための外蓋は市販の炭酸飲料用ＰＥＴボトルの蓋を用いた。
【００４６】
ＰＥＴボトルに水道水を２８０ｍｌ入れて上記で試作した内蓋を容器開口部に挿入した。内蓋の内部空間（７）に上記で調整した水素発生剤の粉末を充填してスポイドで水を５ｍｌその上に注入して直ちに外蓋で密閉した。１０分間、容器を時々手で水平に振動させて容器内の水を撹拌した。その間、内蓋内の反応液が容器内へ漏洩することは無かった。その後、外蓋を開けるとシューという音が発生して内部が加圧状態であったことが分かった。容器内部の水素水のＤＨを測定したところ０．４０ｐｐｍであった。比較のために市販のアルミ缶に充填された水素水中のＤＨを同様に測定すると０．１７ｐｐｍであった。
【実施例２】
【００４７】
無水トレハロースとアジピン酸の混合物をホットプレート上で溶融して、その中に硫酸ナトリウム、硫酸マグネシウム及び水素化カルシウム（ＣａＨ２）の粉末を添加して混合・撹拌した。この混合物を冷却して固化させることでトレハロースとアジピン酸の溶融体にＣａＨ２等を溶融包埋した水素発生剤を得た。固化した混合物を粉砕機で粉砕して粉末状の水素発生剤を調整した。この水素発生剤１ｇを水と反応させると３７ｍｌ（２５℃）の水素が発生した。この粉末をシリンダー内に入れてピストンで加圧して直径１８ｍｍ、厚み２．６ｍｍの錠剤状の水素発生剤を成形した。
【００４８】
実施例１で用いた器具を使用して、同様にＰＥＴボトルに水道水を２８０ｍｌ入れて内蓋を容器開口部に挿入した。内蓋の内部空間（７）に上記の錠剤状水素発生剤１ｇを４分割して入れ、スポイドで水道水を５ｍｌ添加して直ちに外蓋で密閉した。水の添加と同時に錠剤は水素を発生しながら水に溶解し水素の発生が終了するまでに約１０分を要した。この間、内蓋内の反応液が容器内へ漏洩することは無かった。
【００４９】
ＰＥＴボトルを水素の発生が終了するまで手で軽く揺すって容器内の水を攪拌した。１２分経過後、ボトルの外蓋を開けるとシューとする音が発生して内部が加圧状態であることを確認した。この間、内蓋内の反応液は連通孔から外部へ漏れて容器内の水と混合することはなかった。この水素水のＤＨは０．３７ｐｐｍであった。
【実施例３】
【００５０】
図７に示したような隔壁に球状体を可動体とした円筒状の上部内蓋（２１）と、円筒状の下部内蓋（２２）をプラスチックで成形した。上部内蓋の側壁の内径と外径は１６ｍｍ、１８ｍｍでフランジ部を含めた高さは３５ｍｍとした。また、連通孔（４）として直径２ｍｍの孔を上部から６ｍｍの位置に４ケ作成した。球状体はアクリル樹脂で成形したものを用いた。下部内蓋は上部内蓋に嵌めこむためにその内径を１８ｍｍとし高さが３５ｍｍの円筒をプラスチックで成形した。
【００５１】
下部内蓋（２２）に実施例２で調整した粉末状の水素発生剤を１ｇ充填して上部内蓋（２１）に嵌めこみ、実施例２と同様に２８０ｍｌの水道水の入ったＰＥＴボトルの開口部に挿入した。スポイドで水を５ｍｌ上部内蓋に添加して外蓋で密閉した。ＰＥＴボトルを傾斜並びに揺すって球状体を移動させ上部内蓋の水を下部内蓋へ落下させ水素発生剤と反応させた。
【００５２】
水の落下と同時に反応は進行して水素が発生し、約３分で水素の発生は終了した。その間、ＰＥＴボトルを時々揺すって内部の水を攪拌させたが、内蓋内の反応液は外部に漏れることはなかった。水素の発生開始から１０分経過後に、外蓋を開封するとシューと言う音が発生して容器内が加圧状態にあったことを確認した。水素水のＤＨを測定すると０．９７ｐｐｍであった。
【実施例４】
【００５３】
実施例１で用いた市販の２８０ｍｌＰＥＴボトルと外蓋を用意した。外蓋の中心部に直径５ｍｍの小孔を貫通させてその孔にシリコンゴム栓を挿入した。ＰＥＴボトルに水道水を２８０ｍｌ入れその開口部に実施例１で用いた内蓋を挿入した。内蓋の内部空間に実施例２で調整した粉末状の水素発生剤１ｇを充填し上記のゴム栓付き外蓋で容器を密閉した。
【００５４】
注射器に水道水を採取して注射針を外蓋のゴム栓に差し込み５ｍｌの水を内蓋内に添加し注射針をゴム栓から抜き取った。水の添加と共に水素が発生して約２分間継続した。その間、ＰＥＴボトルを時々揺すって内部の水を攪拌させたが、内蓋内の反応液は外部に漏れることはなかった。水の添加から５分後に外蓋を開封するとシューと言う音が発生して容器内が加圧状態にあったことを確認した。この水素水のＤＨを測定すると０．６５ｐｐｍであった。
【実施例５】
【００５５】
市販の２８０ｍｌ容量の肉厚ＰＥＴボトルの開口部に挿入できる図１０の内蓋を、円柱状のポリエチレン樹脂を機械加工して作成した。円筒状内蓋の側壁の外径は２１ｍｍ、内部空間の内径は１９ｍｍ、フランジ部も含めた高さは５０ｍｍとした。円筒の底壁に中心から離れた位置に直径３ｍｍの貫通孔を開けて外径３ｍｍのプラスチック製のチューブ（細管）を貫通させた。細管の長さはその端部が図９に示したように内蓋の上部付近、容器の底部付近に位置する長さに設定した。
【００５６】
このＰＥＴボトルに水道水を２８０ｍｌ入れて上記で試作した内蓋を容器開口部に挿入した。内蓋の内部空間に実施例２で調整した粉末状の水素発生剤１ｇを入れ容器の外蓋で密閉した。次いで容器の側壁を手で２回圧迫して容器内の水を内蓋内に導入した。水と接触した水素発生剤から水素が発生して容器底部にある細管から気泡が発生するのが観察された。
【００５７】
気泡の発生は約２分間継続し、その間ボトルを机の上で水平に振動させて容器内の水を攪拌した。内蓋内での反応液は発泡して内部空間を上昇したが細管の端部から漏洩して容器内の水に混入することはなかった。水素発生剤と水の接触開始から５分後に外蓋を開栓すると、シューと言う音が発生して内部が加圧状態であった事が解った。内蓋を取りだして容器内の水素水のＤＨを測定すると０．８７ｐｐｍであった。
【実施例６】
【００５８】
ＭｇＨ２の粉末３０ｍｇとコハク酸の粉末２９２ｍｇをビーカー内で均一に混合して水素発生剤とした。この水素発生剤の（コハク酸／ＭｇＨ２）の中和当量比は２．０であり、水を添加して別途測定した水素発生量は５１ｍｌ（２５℃）で約３分で発生は終了した。この発生量から計算した水素発生率は８４％である。
【００５９】
実施例５で使用したのと同じ器具を用いて内蓋内にこの水素発生剤を充填して、２８０ｍｌの水を入れたＰＥＴ容器の開口部に挿入し外蓋で密閉した。水の入った容器の側壁を手で２回圧迫することで容器内の水を内蓋内に注入して水素発生剤と水を接触させた。容器の底部にある細管から激しく気泡が発生するのが観察された。約２分間容器を水平に振動させて容器内の水を撹拌した。５分後に外蓋を開けて容器内の水素水のＤＨを測定したところ０．９７ｐｐｍであった。
【実施例７】
【００６０】
ホットプレート上でＰＥＧ（分子量１３０００）を溶融して、その中にＣａＨ２とコハク酸の粉末を添加して攪拌・混合した。溶融混合物を冷却して固化物を粉砕して粉末状の水素発生剤を得た。この水素発生剤１ｇを水と接触させると８０ｍｌ（２５℃）の水素が発生して２分で完了することを実験で確認した。
【００６１】
実施例５と同様の器具を用いて同じ方法で水素水を調整した。但し、内蓋に充填した水素発生剤の量は０．６６ｇとした。内蓋内の反応液が容器内に細管を通して漏洩することは無かった。得られた水素水中のＤＨは１．１ｐｐｍであった。
【実施例８】
【００６２】
実施例２で調整したＣａＨ２を含む粉末状の水素発生剤１．５ｇを図９の器具の内蓋内に充填し、内蓋上部の空間に３５ｍｍ角に切断した不織布を挿入した（図１３の状態）。実施例５と同様にして２８０ｍｌの水を入れたＰＥＴボトルの開口部に内蓋を挿入して外蓋で容器開口部を密閉して同様に水素水を調整した。剤が水と接触してから５分後に外蓋を開栓して得られた水素水のＤＨを測定したところ、１．３ｐｐｍであった。また、内蓋の反応液が容器内に漏洩することはなかった。
【実施例９】
【００６３】
実施例２で得られたＣａＨ２からなる錠剤状の水素発生剤１ｇを４分割して図９の生水器の器具の内蓋に充填した。２８０ｍｌＰＥＴボトル内に２８０ｍｌの水を入れボトル開口部に上記の内蓋を挿入してスポイドで水を５ｍｌ注入して直ちに外蓋で容器を密閉した。
【００６４】
容器内の細管の端から水素の気泡が激しく発生するのが確認された。水素の発生は約１１分継続したので１２分後に外蓋を開けて内蓋を取り出し容器内の水素水のＤＨを測定したところ０．５１ｐｐｍであった。外蓋を開けるまでは容器を手で振動させて容器内の水を撹拌したが、内蓋内の反応液が容器内に漏洩することは無かった。
【産業上の利用可能性】
【００６５】
本発明により飲料に適した高濃度の水素を含む水素水を簡便な方法でしかも短時間で調整することが出来るので、人体の健康促進に役立つことが期待できる。
【符号の説明】
【００６６】
１    容器本体
２    内蓋本体
２１  上部内蓋
２２  下部内蓋
３    外蓋
４    連通孔
５    側壁
５１  上部内蓋側壁
５２  下部内蓋側壁
６    底壁
７    内部空間
７１  上部内部空間
７２  下部内部空間
８    Ａ液
９    水素発生剤
１０  水
１１  ゴム栓
１２  注射器
１３  注射針
１４  隔壁（Ｂ）
１５  球状体
１６  細管
１７  気泡
１８  消泡材
１９  アダプター
【図１】
0005124673.tif 000002
【図２】
0005124673.tif 000003
【図３】
0005124673.tif 000004
【図４】
0005124673.tif 000005
【図５】
0005124673.tif 000006
【図６】
0005124673.tif 000007
【図７】
0005124673.tif 000008
【図８】
0005124673.tif 000009
【図９】
0005124673.tif 000010
【図１０】
0005124673.tif 000011
【図１１】
0005124673.tif 000012
【図１２】
0005124673.tif 000013
【図１３】
0005124673.tif 000014
【図１４】
0005124673.tif 000015